(57)【要約】【課題】幅広い環境で共振させることを可能にする電極装置を提供する。【解決手段】電極装置は、接地抵抗を測定するための補助電極として用いられる電極装置であって、導電性を有する電極シート１１と、電極シート１１に設けられ、電極シート１１に接続されたインダクタ１３と、を備え、電極シート１１の大地に対面する接地面積を変えることが可能なように構成されている。これにより、電極シート１１を補助電極として用いて接地抵抗の測定を行う際、電極シート１１の大地に対面する接地面積を変えることで、補助電極の大地に対面する接地面積を調整することが可能となっている。【選択図】図３
2014153311.tif 000002
【特許請求の範囲】
【請求項１】
接地抵抗を測定するための補助電極として用いられる電極装置であって、
導電性を有する電極シートと、
前記電極シートに設けられ、前記電極シートに接続されたインダクタと、を備え、
前記電極シートの大地に対面する接地面積を変えることが可能なように構成されていることを特徴とする電極装置。
【請求項２】
前記電極シートを引き出し可能に巻回する巻き取り器を備えることを特徴とする請求項１に記載の電極装置。
【請求項３】
前記インダクタは、前記電極シートに対して着脱可能に構成されていることを特徴とする請求項１および請求項２に記載の電極装置。
【発明の詳細な説明】
【技術分野】
【０００１】
本発明は、接地抵抗を測定するための補助電極として用いられる電極装置に関する。
【背景技術】
【０００２】
大地に埋設された接地極に接地電流Ｉ［Ａ］が流入すると、接地極の電位が周囲の大地よりＥ［Ｖ］高くなる。このときの電位上昇と接地電流の比Ｅ／Ｉ［Ω］が接地抵抗であると定義されている。
【０００３】
一般的に、接地抵抗を測定するために、三極法と呼ばれる測定法が行われている。三極法では、接地極から適宜離した位置（詳細には、各抵抗区域（電極を中心として大部分の接地抵抗が含まれている範囲）が干渉しない位置）に電流補助電極を設置し、接地極と電流補助電極を交流電源と電流計を介して接続する。また、接地極から適宜離した位置（詳細には、接地極と電流補助電極における各抵抗区域外）に電圧補助電極を設置し、接地極と電圧補助電極を電圧計を介して接続する。そして、交流電源から接地極に電流を流したときの電流計と電圧計が示す値から接地抵抗を求める。
【０００４】
そして、従来、電圧補助電極や電流補助電極を大地に埋め込まずに大地上に置くことで、大地との間にコンデンサを形成させて電流を流す測定装置が知られている（例えば、特許文献１参照）。この測定装置では、交流電源と電圧補助電極の間、および、交流電源と電流補助電極の間にインダクタが配置されており、ＲＬＣ直列共振回路が形成されている。そして、測定装置により測定を行うときには、ＲＬＣ回路が共振するように、インダクタのインダクタンスを調整し、共振時のインピーダンスから、接地抵抗を算出している。
【先行技術文献】
【特許文献】
【０００５】
【特許文献１】特許第４７７８９２２号公報
【発明の概要】
【発明が解決しようとする課題】
【０００６】
ところで、ＲＬＣ回路の共振には、インダクタのインダクタンスのほか、コンデンサの静電容量が関係しているが、測定する環境（例えば、補助電極を配置する大地の誘電率など）によって、補助電極と大地の間で形成されるコンデンサの静電容量は変化してしまう。
【０００７】
そこで、本発明は、幅広い環境で共振させることを可能にする電極装置を提供することを目的とする。
【課題を解決するための手段】
【０００８】
前記した目的を達成するため、本発明の電極装置は、接地抵抗を測定するための補助電極として用いられる電極装置であって、導電性を有する電極シートと、前記電極シートに設けられ、前記電極シートに接続されたインダクタと、を備え、前記電極シートの大地に対面する接地面積を変えることが可能なように構成されていることを特徴とする。
【０００９】
このように構成された電極装置によれば、電極シートを補助電極として接地抵抗の測定を行う際、電極シートの大地に対面する接地面積を変えることで、補助電極の大地に対面する接地面積を調整することができる。これにより、補助電極と大地の間に形成されるコンデンサの静電容量を環境に応じて変化させることができるので、幅広い環境で共振させることができる。
【００１０】
そして、前記した電極装置は、前記電極シートを引き出し可能に巻回する巻き取り器を備える構成とすることができる。
【００１１】
このように構成することにより、電極シートを巻き取り器から引き出すことで、電極シートの大地に対面する接地面積を変えることができる。また、測定後は、電極シートを巻き取り器で巻き取るだけで、電極シートを収容できるので、片づけが簡単であるとともに、未使用時にはコンパクトにでき、持ち運びしやすい。
【００１２】
また、この場合、前記インダクタは、前記電極シートの一端部に設けられ、前記電極シートは、前記インダクタが設けられている一端部が最も外側となるように巻回されている構成とすることができる。
【００１３】
そして、前記した電極装置において、前記電極シートは、折り畳み可能に構成されていてもよい。
【００１４】
このように構成することにより、電極シートを折り畳んだり広げたりすることで、電極シートの大地に対面する接地面積を変えることができる。また、未使用時には、折り畳んでおくことで、コンパクトにでき、持ち運びがしやすい。
【００１５】
また、前記した電極装置において、前記電極シートは、伸縮可能に構成されていてもよい。
【００１６】
このように構成することにより、電極シートを伸縮させることで、電極シートの大地に対面する接地面積を変えることができる。また、未使用時には、縮めておくことで、コンパクトにでき、持ち運びがしやすい。
【００１７】
そして、前記した電極装置において、前記インダクタは、インダクタンスが可変であることが望ましい。
【００１８】
このように構成することにより、インダクタのインダクタンスを調整しても、回路を共振させることができる。
【００１９】
また、前記した電極装置において、前記インダクタは、前記電極シートに対して着脱可能に構成されていることが望ましい。
【００２０】
このように構成することにより、インダクタンスが異なるインダクタと交換することで、回路を共振させることができる。
【００２１】
そして、前記した電極装置は、前記電極シートに電流が流れたことを検知する検知手段を備えていることが望ましい。
【００２２】
このように構成された電極装置によれば、電極装置を測定装置から離れた位置に設置する場合であっても、電極シートの大地に対面する接地面積を変えながら、電極シートに電流が流れたことを確認することができる。
【００２３】
また、前記した検知手段は、前記電極シートに電流が流れたときに発光する発光器であってもよい。
【００２４】
そして、前記した検知手段を備える電極装置は、前記インダクタを保持するインダクタ保持部材を備え、前記インダクタ保持部材は、リード線を前記インダクタに接続するためのコネクタを有し、前記検知手段は、前記インダクタ保持部材に設けられていることが望ましい。
【００２５】
このように構成された電極装置によれば、電極装置を設置している作業者の手元に検知手段が設けられているので、作業者が検知手段を確認しやすい。
【発明の効果】
【００２６】
本発明によれば、電極シートを補助電極として接地抵抗の測定を行う際、電極シートの大地に対面する接地面積を変えることで、補助電極の大地に対面する接地面積を調整することができる。これにより、補助電極と大地の間に形成されるコンデンサの静電容量を環境に応じて変化させることができるので、幅広い環境で共振させることができる。
【図面の簡単な説明】
【００２７】
【図１】本発明の一実施形態に係る電極装置を備えた測定装置の構成示す回路図である。
【図２】接地抵抗を測定しているときの測定装置を示す図（ａ）と、接地抵抗を測定するときの接地極、電圧補助電極および電流補助電極の位置関係を示す図である。
【図３】電極装置を示す斜視図である。
【図４】図１の状態から切替器によって回路を切り替えた状態を示す回路図である。
【図５】第１の変形例に係る電極装置を示す斜視図（ａ）と、第１の変形例に係る電極装置を（ａ）とは異なる方法で使用している状態を示す斜視図（ｂ）である。
【図６】第２の変形例に係る電極装置を示す図であって、伸ばした状態を示す図（ａ）と、縮めた状態を示す図（ｂ）である。
【発明を実施するための形態】
【００２８】
次に、本発明の一実施形態について、適宜図面を参照しながら詳細に説明する。なお、以下の説明においては、まず、本発明の電極装置が補助電極として用いられる測定装置について説明したあと、電極装置について詳しく説明する。
【００２９】
＜測定装置＞
図１に示すように、測定装置１は、接地抵抗を測定するための装置である。測定装置１は、接地極２と、測定器３と、電圧補助電極４と、電流補助電極５と、第１インダクタＬ１、第２インダクタＬ２とを備えている。
【００３０】
接地極２は、接地抵抗の測定の際に、大地に埋設される電極である。接地極２は、リード線６により、後述する測定器３の端子Ｅに接続されることで、交流電源３１に接続可能となっている。なお、リード線６は、リード線６自体のインピーダンスが測定に影響するのを最小限にするために、１ｍ程度の長さになっているのが望ましい。
【００３１】
測定器３は、例えば、本体に設けられたボタンを押すことで、接続されている電極に電流を流して接地抵抗を測定し、本体に設けられたディスプレイにその接地抵抗の値を表示するものである。
【００３２】
測定器３は、周波数を変更可能な交流電源３１と、交流電源３１に接続された電流計３２と、電圧計３３と、回路を切り替えるための切替器３４と、制御部３５とを備えて構成されている。また、測定器３には、外部からリード線を接続可能な端子Ｅ、端子Ｐおよび端子Ｃが設けられている。なお、電圧計３３は、端子Ｅに接続されている。
【００３３】
切替器３４は、例えば、測定器３の本体に設けられたレバーを操作することで、端子Ｅおよび端子Ｐが交流電源３１に接続される第１状態（図１の状態）と、端子Ｅおよび端子Ｐが交流電源３１に接続され、端子Ｅと端子Ｐが電圧計３３に接続される第２状態（図４の状態）とに回路を切り替え可能に構成されている。
【００３４】
具体的に、切替器３４は、電流計３２に接続される第１接点３４Ａと、交流電源３１に接続される第２接点３４Ｂと、電圧計３３に接続される第３接点３４Ｃと、端子Ｃに接続される第４接点３４Ｄと、端子Ｅに接続される第５接点３４Ｅと、端子Ｐに接続される第６接点３４Ｆとを有している。
【００３５】
そして、切替器３４は、第１状態のとき、第１接点３４Ａと第５接点３４Ｅ、および、第２接点３４Ｂと第６接点３４Ｆを接続する。また、切替器３４は、第２状態のとき、第１接点３４Ａと第４接点３４Ｄ、第２接点３４Ｂと第５接点３４Ｅ、および、第３接点３４Ｃと第６接点３４Ｆを接続する。
【００３６】
制御部３５は、交流電源３１が出力している電流の周波数や、電流計３２が測定した電流値、電圧計３３が測定した電圧を記録する記録装置と、記録装置が記録した値から接地抵抗を演算する処理・演算装置とを有している。処理・演算装置は、電流計３２が測定した電流値がＩ［Ａ］、電圧計３３が測定した電圧がＥ［Ｖ］であるとき、これらの比Ｅ／Ｉ［Ω］を接地抵抗として算出する。
【００３７】
なお、測定器３は、測定を行う者が、回路に電流が流れているのを確認しながら測定条件を変更することができるように、本体に、電流が流れたことを確認するための表示部が設けられているのが望ましい。この表示部は、例えば、電流計３２が測定した電流値を表示するメータや、回路に電流が流れたときに発光するランプ等で構成することができる。
【００３８】
電圧補助電極４は、接地極２から離れた位置で大地上に配置される電極である。この電圧補助電極４は、後述する第１リード線７により、測定器３の端子Ｐに接続可能となっている。
【００３９】
第１インダクタＬ１は、インダクタンスが可変のインダクタであり、電圧補助電極４に直接取り付けられている。そして、第１インダクタＬ１は、第１リード線７により測定器３の端子Ｐに接続されている。これにより、電圧補助電極４が、第１インダクタＬ１を介して第１リード線７により、交流電源３１に接続されている。
【００４０】
第１リード線７は、第１インダクタＬ１や電圧補助電極４を接地極２に対し接地極２の規模（大きさや埋め込み量）に応じた離隔距離以上に離して配置することができるように、例えば、１０ｍ以上の長さを有している。
【００４１】
電流補助電極５は、接地極２および電圧補助電極４から離れた位置で大地上に配置される電極である。この電流補助電極５は、後述する第２リード線８により、測定器３の端子Ｃに接続可能となっている。
【００４２】
第２インダクタＬ２は、インダクタンスが可変のインダクタであり、電流補助電極５に直接取り付けられている。そして、第２インダクタＬ２は、第２リード線８により測定器３の端子Ｃに接続されている。これにより、電流補助電極５が、第２インダクタＬ２を介して第２リード線８により、交流電源３１に接続されている。
【００４３】
第２リード線８は、前記した第１リード線７と同様に、接地極２に対し第２インダクタＬ２や電流補助電極５を接地極２の規模に応じた離隔距離以上に離すことができるように、例えば、１０ｍ以上の長さを有している。
【００４４】
＜電極装置の構成＞
電極装置１０は、図２（ａ）に示すように、上述した測定装置１の測定器３に接続され、電圧補助電極４や電流補助電極５として用いられる装置である。
【００４５】
電極装置１０は、図３に示すように、電極シート１１と、電極シート１１を引き出し可能に巻回する巻き取り器１２と、インダクタ１３と、インダクタ保持部材１４と、を備えている。
【００４６】
電極シート１１は、導電性を有する素材から形成された可撓性を有する薄いシートである。例えば、電極シート１１としては、布に金属塗膜を付着させたものや表面に金属膜を形成した樹脂シート、金属のシートなどを採用することができる。この電極シート１１は、帯状に形成されている。
【００４７】
巻き取り器１２は、図示しない巻き取り軸、ゼンマイバネ、および、ストッパを有する公知のプルコード式の機構を備えている。そして、電極シート１１は、この巻き取り器１２に巻き取られている。
【００４８】
巻き取り器１２は、電極シート１１を一定量引き出すとストッパによるロックがかかり、このストッパのロックを解除すると、引き出された電極シート１１がゼンマイバネの付勢力により、巻き取り軸に巻き取られるように構成されている。また、巻き取り器１２は、巻き取り器１２に巻き取られている電極シート１１を覆うカバー１５を有している。
【００４９】
インダクタ１３は、インダクタンスが可変に構成されており、電極シート１１に接続されている。このインダクタ１３は、電極シート１１に取り付けられている後述するインダクタ保持部材１４に保持されることで、電極シート１１に設けられている。
【００５０】
インダクタ保持部材１４は、電極シート１１の短辺と略同じ長さを有する棒状の部材であり、電極シート１１の一方の短辺に固定されている。なお、電極シート１１は、このインダクタ保持部材１４が設けられている一方の短辺が最も外側となるように巻き取り器１２に巻回されている。これにより、作業者がインダクタ保持部材１４を持って電極シート１１を巻き取り器１２から引き出すことができるようになっている。
【００５１】
インダクタ保持部材１４は、末端に、リード線（第１リード線７や第２リード線８）を接続可能なコネクタ１６が設けられている。このコネクタ１６は、インダクタ１３に接続されている。そして、インダクタ保持部材１４は、コネクタ１６の近傍で、インダクタ１３を内蔵している。
【００５２】
また、インダクタ保持部材１４は、コネクタ１６の近傍に、電極シート１１に電流が流れたことを検知する検知手段の一例としての発光器１７を備えている。発光器１７は、例えば、発光ダイオードであり、電極シート１１に電流が流れたときに発光するように、例えば、インダクタ１３とコネクタ１６の間に介設されている。このように、発光器１７を設けることにより、作業者が電極シート１１を引き出したりインダクタ１３のインダクタンスを調整したりしているときに、手元で電極シート１１に電流が流れているか確認することができるようになっている。
【００５３】
＜測定方法＞
次に、上述したように構成された測定装置１と電極装置１０を利用した接地抵抗の測定方法について説明する。なお、測定を行う際、電極装置１０は２つ用意する。
【００５４】
まず、図２（ａ）に示すように、接地極２を測定器３の端子Ｅに接続し、目的の地点で大地に設置する。
【００５５】
そして、第１リード線７の一端の端子７Ａを電極装置１０のコネクタ１６に接続し（図３参照）、他端の端子を測定器３の端子Ｐに接続する。電極装置１０と測定器３を接続したら、電極装置１０を接地極２から１０ｍ以上離れた位置で大地上に設置する。これにより、この測定器３の端子Ｐに接続された電極装置１０の電極シート１１が電圧補助電極４、インダクタ１３が第１インダクタＬ１として設置される。
【００５６】
また、第２リード線８の一端の端子８Ａをもう１つの電極装置１０のコネクタ１６に接続し（図３参照）、他端の端子を測定器３の端子Ｃに接続して、電極装置１０を接地極２から１０ｍ以上離れた位置で大地上に接地する。このとき、図２（ｂ）に示すように、接地極２と電圧補助電極４を結ぶ直線Ａと、接地極２と電流補助電極５を結ぶ直線Ｂとが、９０度以上、例えば、１８０度をなすように、接地極２に対して電圧補助電極４側の電極装置１０とは反対側に第２リード線８を延ばしていき、その先に電極装置１０を配置する。これにより、この測定器３の端子Ｃに接続された電極装置１０の電極シート１１が電流補助電極５、インダクタ１３が第２インダクタＬ２として設置される。
【００５７】
接地極２と２つの電極装置１０の設置が完了したら、接地抵抗を測定する際の測定条件を決めるため、交流電源３１の周波数、第１インダクタＬ１のインダクタンスおよび電圧補助電極４の接地面積を決める。
【００５８】
具体的には、まず、測定器３を操作して、切替器３４を第１状態とする。これにより、図１に示すように、接地極２が電流計３２を介して交流電源３１に接続され、電圧補助電極４が第１インダクタＬ１を介して交流電源３１に接続される。つまり、接地極２と電圧補助電極４の間に、電流計３２、交流電源３１および第１インダクタＬ１が直列に接続された回路が形成される。
【００５９】
次に、電圧補助電極４側の電極装置１０のインダクタ１３（第１インダクタＬ１）のインダクタンスを適宜設定し、インダクタ保持部材１４を持って電極シート１１を巻き取り器１２から引き出し、引き出した電極シート１１を大地上に配置する。そして、共振して電圧補助電極４に電流が流れるように、測定器３の表示部や電極装置１０の発光器１７を確認しながら、交流電源３１の周波数と電極シート１１の巻き取り器１２からの引き出し量（電圧補助電極４の大地に対面する接地面積）を調整する。このように、交流電源３１の周波数だけでなく電圧補助電極４の接地面積が可変であることで、幅広い環境で共振させることができる。
【００６０】
なお、このとき、測定器３と電圧補助電極４の位置が離れていたり、一人で作業をしたりする場合は、交流電源３１の周波数と電極シート１１の引き出し量の一方を固定しておき、もう一方のみを調整してもよい。また、交流電源３１の周波数と電極シート１１の引き出し量だけでなく、第１インダクタＬ１のインダクタンスも調整すれば、より幅広い環境で共振させることができる。
【００６１】
そして、電圧補助電極４に電流が流れたことを確認できたら、接地抵抗を測定する際の第２インダクタＬ２のインダクタンスおよび電流補助電極５の接地面積を決める。
【００６２】
具体的には、まず、測定器３を操作して、切替器３４を第２状態に切り替える。これにより、図４に示すように、接地極２が交流電源３１に接続され、電流補助電極５が第２インダクタＬ２と電流計３２を介して交流電源３１に接続される。また、接地極２と電圧補助電極４が電圧計３３と第１インダクタＬ１を介して接続される。つまり、電流補助電極５と接地極２の間に、第２インダクタＬ２、電流計３２および交流電源３１が直列に接続されるとともに、電圧補助電極４に接続された電圧計３３が接地極２と並列に接続された回路が形成される。
【００６３】
次に、電流補助電極５側の電極装置１０のインダクタ１３（第２インダクタＬ２）のインダクタンスを適宜設定し、インダクタ保持部材１４を持って電極シート１１を巻き取り器１２から引き出し、引き出した電極シート１１を大地上に設置する。このとき、インダクタ１３のインダクタや電極シート１１の巻き取り器１２からの引き出し量は、第１インダクタＬ１のインダクタンスや電圧補助電極４側の電極シート１１の引き出し量を目安にして設定すると以後の調整がしやすい。
【００６４】
そして、交流電源３１の周波数を、電圧補助電極４に電流が流れたときの周波数に固定した状態で、共振して電流補助電極５に電流が流れるように、発光器１７を確認しながら電流補助電極５側の電極シート１１の巻き取り器１２からの引き出し量（電流補助電極５の大地に対面する接地面積）を調整する。なお、このとき、電極シート１１の引き出し量を調整するのに加えて、インダクタ１３のインダクタンスも調整すれば、より幅広い環境で共振させることができる。
【００６５】
電流補助電極５に電流が流れたことを確認できたら、測定器３のボタンを押して測定を開始する。このとき、測定器３内の電圧計３３により接地極２の電位が測定され、電流計３２により電流補助電極５に流れる電流が測定される。そして、これらの測定結果に基づき、制御部３５が接地抵抗を算出し、測定器３のディスプレイに算出された接地抵抗が表示される。
【００６６】
接地抵抗の測定が終了したら、接地極２を撤去し、第１リード線７と第２リード線８を測定器３と電極装置１０から外す。そして、電極装置１０の電極シート１１を巻き取り器１２によって巻き取る。
【００６７】
このように、電極装置１０は、使用後には、電極シート１１を巻き取り器１２に簡単に収納することができる。また、電極シート１１を収納した電極装置１０は、大きな金属板を電極として用いる場合に比べて、コンパクトであり、また、電極シート１１が薄いシート状であるため軽いので、持ち運びがしやすい。
【００６８】
以上、本発明の実施形態について説明したが、本発明は前記実施形態に限定されるものではない。具体的な構成については、本発明の趣旨を逸脱しない範囲で適宜変更が可能である。なお、以下の説明では、前記した実施形態と同様の構成要素については、同一符号を付して、その説明を省略することとする。
【００６９】
前記実施形態では、電極装置１０は、電極シート１１を巻き取り器１２から引き出すことで、電極シート１１の大地に対面する接地面積を変えることが可能となっていたが、本発明はこれに限定されるものではない。例えば、電極装置は、折り畳み可能に構成された電極シートや伸縮可能に構成された電極シートを備えることで、電極シートの大地に対面する接地面積を変えることが可能となっていてもよい。
【００７０】
まず、折り畳み可能に構成された電極シートの一例について図５を参照して説明する。図５（ａ）に示すように、電極装置２０は、金属または導電性樹脂などからなる剛性を有する板から形成された電極シート２１を備えている。この電極シート２１は、平行に並んだ折り目が複数設けられており、山折りと谷折りが繰り返された蛇腹状に折り畳むことが可能となっている。
【００７１】
また、電極シート２１は、一端に電極シート２１に接続された図示しないインダクタが内蔵されたインダクタ保持部材２４が固定されている。そして、インダクタ保持部材２４には、前記実施形態と同様のリード線を繋ぐためのコネクタ１６や、電極シート２１に電流が流れたときに発光する発光器１７が設けられている。
【００７２】
このように構成された電極装置２０は、電極シート２１を必要な面積の分だけ広げ、不要な部分は畳んでおくことで、電極シート２１の大地に対面する接地面積を変えることが可能となっている。
【００７３】
また、電極装置２０は、図５（ｂ）に示すように、電極シート２１を蛇腹を横にして広げ、蛇腹が有する複数の谷の部分が大地に接触するように配置してもよい。このように使用しても、蛇腹を伸び縮みさせることで、電極シート２１の大地に対面する接地面積を変えることが可能である。
【００７４】
次に、伸縮可能に構成された電極シートの一例について図６を参照して説明する。図６（ａ）に示すように、電極装置４０は、金属または導電性樹脂などから形成された長尺状の板４１Ａが格子状に組まれてなる電極シート４１を備えている。
【００７５】
電極シート４１は、複数の板４１Ａが、格子状に並べられ、板４１Ａ同士が重なる部分で、導電性を有するピン４１Ｂにより互いに回動可能なように連結された、いわゆるパンタグラフ状に組まれた構成となっている。この電極シート４１は、板４１Ａ同士の間が開いた状態（図６（ａ）の状態）と閉じた状態（図６（ｂ）の状態）に伸縮可能である。
【００７６】
そして、電極シート４１は、１つの板４１Ａの一端に、当該板４１Ａに接続されたインダクタを内蔵するインダクタ保持部材４４が取り付けられている。また、このインダクタ保持部材４４には、前記実施形態と同様のリード線が接続可能なコネクタ（図示省略）や、電極シート４１に電流が流れたときに発光する発光器１７が設けられている。
【００７７】
このように構成された電極装置４０は、電極シート４１を伸縮させることで、電極シート４１の大地に対面する接地面積を変えることができる。また、未使用時には、図６（ｂ）に示すような縮んだ状態にしておくことで、コンパクトにしておくことができるとともに、持ち運びもしやすくなっている。
【００７８】
前記実施形態では、発光器１７がインダクタ保持部材１４に設けられていたが、本発明はこれに限定されるものではない。例えば、発光器１７は、電極シート１１，２１，４１に設けられていてもよいし、巻き取り器１２に設けられていてもよい。
【００７９】
また、前記実施形態では、検知手段として、電極シート１１に電流が流れたときに発光する発光器１７を例示したが、本発明はこれに限定されるものではない。例えば、検知手段として、電極シート１１に電流が流れたときに音を発するブザーを採用してもよい。このようなブザーを設けることで、測定をする者が離れた位置で作業をしていても、電極シート１１に電流が流れたことを確認することができる。
【００８０】
また、前記実施形態では、インダクタンスが可変のインダクタ１３がインダクタ保持部材１４に内蔵されていたが、本発明はこれに限定されるものではない。例えば、インダクタは、インダクタ保持部材１４に着脱可能に設けられていてもよい。つまり、インダクタは、電極シート１１に対して着脱可能に構成されていてもよい。このように構成することにより、インダクタンスが可変のインダクタを用いなくても、インダクタを交換することで、インダクタンスを変えることができる。
【符号の説明】
【００８１】
１０    電極装置
１１    電極シート
１２    巻き取り器
１３    インダクタ
１４    インダクタ保持部材
１６    コネクタ
１７    発光器
【図１】
2014153311.tif 000003
【図２】
2014153311.tif 000004
【図３】
2014153311.tif 000005
【図４】
2014153311.tif 000006
【図５】
2014153311.tif 000007
【図６】
2014153311.tif 000008